(57)【要約】【課題】  回転操作の際の操作感を向上する。【解決手段】  回転カム５０が外部から回転操作されることにより、回転カム５０に押し出されたスライド駒２０が前進し、スライド駒２０の前端に接続されたリフィール３１，３２が筆記部３１ｂ，３２ｂを軸筒１０の前端から突出させる回転繰出し式筆記具において、回転カム５０の内周面とスライド駒２０の挿入片２２との間、及びスライド駒２０の挿入片２２と軸部５３との間に、グリスＧを介在して、適宜な回転抵抗を付与するようにした。【選択図】  図１
2015077722.tif 000002
【特許請求の範囲】
【請求項１】
軸筒と、該軸筒内で前後方向へスライド可能なスライド駒と、前記スライド駒の前端側に接続されたリフィールと、前記スライド駒を軸筒後方へ付勢する付勢部材と、回動するカム斜面により前記スライド駒を軸筒前方へ押し出す回転カムとを備え、前記回転カムへの回転操作により前進した前記リフィールが、その前端の筆記部を前記軸筒の前端から突出させる回転繰出し式筆記具において、
前記回転カムは、前記軸筒と略同芯状の筒部と、該筒部の周壁の一部を山形状に前方へ突出させてその周方向の両縁を前記カム斜面としたカム部と、前記筒部の中心側に位置する軸部とを一体回転可能に具備し、前記スライド駒は、前記カム斜面に摺接可能な被摺動部と、前記回転カムの内周面と前記軸部の間に位置するように前記回転カム内に挿入された挿入片とを一体に具備し、
前記回転カムの内周面と前記スライド駒の挿入片との間、及び前記スライド駒の挿入片と前記軸部との間に、グリスを介在したことを特徴とする回転繰出し式筆記具。
【請求項２】
前記被摺動部には、前記回転カムのカム斜面に対面する傾斜摺接面が設けられ、前記挿入片は、前記被摺動部から後方へ延設されて前記回転カムの内周面に重ね合わせられていることを特徴とする請求項１記載の回転繰出し式筆記具。
【請求項３】
前記回転カムは、その内部に底部を有するとともに前端側を開口するように形成され、前記底部から前方へ突出するように前記軸部を設けていることを特徴とする請求項１又は２記載の回転繰出し式筆記具。
【請求項４】
前記グリスは、前記回転カム内の前記底部寄りに略全周にわたって充填されていることを特徴とする請求項３記載の回転繰出し式筆記具。
【請求項５】
前記回転カム内に前記グリスを充填した後、同回転カム内に前記スライド駒の挿入片を挿入するようにしたことを特徴とする請求項１乃至４何れか１項記載の回転繰出し式筆記具の製造方法。
【発明の詳細な説明】
【技術分野】
【０００１】
本発明は、回転操作されることによりリフィール前端の筆記部を軸筒から突出させる回転繰出し式筆記具に関し、特に、ボールペン用リフィールやシャープペンシル用リフィールを軸筒内に備え、これらリフィールの筆記部を回転操作により選択的に出没させるのに好適な回転繰出し式筆記具に関するものである。
【背景技術】
【０００２】
従来、この種の発明には、例えば特許文献１に記載されるように、軸筒（１０）と、該軸筒内で前後方向へスライド可能なスライド駒（２１）と、前記スライド駒の前端側に接続された複数種類のリフィール（３１，３２）と、前記スライド駒を軸筒後方へ付勢する付勢部材（４０）と、回動するカム斜面（傾斜面５１）により前記スライド駒を軸筒前方へ押し出す回転カム（５０）とを備え、前記回転カムの回転操作により前記リフィールの筆記部を、前記軸筒の前端から突出させるようにしたものがある。
【０００３】
ところで、前記従来技術によれば、筆記部を出没させるために回転カム（５０）の回転操作した際、その回転抵抗が小さすぎることや、スライド駒（２１）の係脱等による回転抵抗の変動、及び軽い係脱音の発生等に起因して、商品としての高級感を損ねてしまう場合がある。
そこで、例えば、特許文献２に記載される発明では、摺動部分にグリスを介在して、ある程度の回転抵抗を付与するようにしている。しかしながら、この従来技術においても、グリスが保持され難かったり、グリスによる抵抗感を効果的に得られなかったりする場合があり、改善の余地を有する。
【先行技術文献】
【特許文献】
【０００４】
【特許文献１】特開２００９−１５４４５８号公報
【特許文献２】特開２０１０−２９４７２１号公報
【発明の概要】
【発明が解決しようとする課題】
【０００５】
本発明は上記従来事情に鑑みてなされたものであり、その課題とする処は、回転操作の際の操作感をより向上することができる回転繰出し式筆記具及びその製造方法を提供することにある。
【課題を解決するための手段】
【０００６】
上記課題を解決するための一手段は、軸筒と、該軸筒内で前後方向へスライド可能なスライド駒と、前記スライド駒の前端側に接続されたリフィールと、前記スライド駒を軸筒後方へ付勢する付勢部材と、回動するカム斜面により前記スライド駒を軸筒前方へ押し出す回転カムとを備え、前記回転カムへの回転操作により前進した前記リフィールが、その前端の筆記部を前記軸筒の前端から突出させる回転繰出し式筆記具において、前記回転カムは、前記軸筒と略同芯状の筒部と、該筒部の周壁の一部を山形状に前方へ突出させてその周方向の両縁を前記カム斜面としたカム部と、前記筒部の中心側に位置する軸部とを一体回転可能に具備し、前記スライド駒は、前記カム斜面に摺接可能な被摺動部と、前記回転カムの内周面と前記軸部の間に位置するように前記回転カム内に挿入された挿入片とを一体に具備し、前記回転カムの内周面と前記スライド駒の挿入片との間、及び前記スライド駒の挿入片と前記軸部との間に、グリスを介在したことを特徴とする。
【発明の効果】
【０００７】
本発明は、以上説明したように構成されているので、回転操作の際の操作感をより向上することができる。
【図面の簡単な説明】
【０００８】
【図１】本発明に係る回転繰出し式筆記具の一例を示す断面図である。
【図２】スライド駒及び回転カムを組み合わせた状態を示す斜視図である。
【図３】図１の要部拡大図である。
【図４】回転カムの一例を示す平面図である。
【図５】図４の側面図である。
【図６】図４の(VI)‐(VI)線断面図である。
【図７】スライド駒の一例を示す平面図である。
【図８】図７の側面図である。
【図９】図７の(IX)‐(IX)線断面図である。
【図１０】前軸と後軸の接続前の状態を示す断面図である。
【発明を実施するための形態】
【０００９】
本実施の形態の第一の特徴は、軸筒と、該軸筒内で前後方向へスライド可能なスライド駒と、前記スライド駒の前端側に接続されたリフィールと、前記スライド駒を軸筒後方へ付勢する付勢部材と、回動するカム斜面により前記スライド駒を軸筒前方へ押し出す回転カムとを備え、前記回転カムへの回転操作により前進した前記リフィールが、その前端の筆記部を前記軸筒の前端から突出させる回転繰出し式筆記具において、前記回転カムは、前記軸筒と略同芯状の筒部と、該筒部の周壁の一部を山形状に前方へ突出させてその周方向の両縁を前記カム斜面としたカム部と、前記筒部の中心側に位置する軸部とを一体回転可能に具備し、前記スライド駒は、前記カム斜面に摺接可能な被摺動部と、前記回転カムの内周面と前記軸部の間に位置するように前記回転カム内に挿入された挿入片とを一体に具備し、前記回転カムの内周面と前記スライド駒の挿入片との間、及び前記スライド駒の挿入片と前記軸部との間に、グリスを介在した。
この構成によれば、回転カムを回転操作した際に、回転カムの内周面とスライド駒の挿入片との間、及びスライド駒の挿入片と軸部との間に介在したグリスが、回転カムの回転に適度な抵抗を付与する。また、グリスは、カム部とスライド駒との摺接や係脱等を滑らかにし、回転中の摺動抵抗を均一化するとともに係脱音を低減する。
【００１０】
第二の特徴としては、前記被摺動部には、前記回転カムのカム斜面に対面する傾斜摺接面が設けられ、前記挿入片は、前記被摺動部から後方へ延設されて前記回転カムの内周面に重ね合わせられていることを特徴とする。
この構成によれば、回転カムの内周面と、挿入片とのグリスを介した接触の面積を比較的広く確保することができ、ひいては、回転カムに対しより効果的に回転抵抗を付与することができる。
【００１１】
第三の特徴としては、前記回転カムは、その内部に底部を有するとともに前端側を開口するように形成され、前記底部から前方へ突出するように前記軸部を設けている。
この構成によれば、回転カムがグリスを貯溜し保持し易い有底筒状に形成されるため、グリスによる上記効果を長期間安定的に得ることができる。
【００１２】
第四の特徴としては、前記グリスは、前記回転カム内の前記底部寄りに略全周にわたって充填されている。
この構成によれば、グリスによる上記効果を、回転カムの全周にわたってムラなく得ることができる。
【００１３】
第五の特徴としては、回転繰出し式筆記具の製造方法であって、前記回転カム内に前記グリスを充填した後、同回転カム内に前記スライド駒の挿入片を挿入するようにした。
この構成によれば、摺動部分にグリスをムラなく介在させる作業を効率的に行うことができる。
【００１４】
なお、後述する実施例では、上記特徴の一部を含まずに、以下の構成要件を必須とした発明も開示している。
すなわち、この発明の一つは、後軸に対し前軸を螺合接続して軸筒を構成した筆記具において、前記後軸と前記前軸とのうち、その一方に第一のネジ部を設けるとともに、その他方には、前記第一のネジ部に対し螺合可能な第二のネジ部と、前記第二のネジ部とは異なるネジ形状であって且つ他の軸に対し螺合可能な第三のネジ部とを、軸方向に並べて設けた。
この発明によれば、後軸と前軸のうちの一方を他の軸に交換し、第三のネジ部を用いて螺合接続することが可能であり、例えば、合成樹脂製の前軸と、金属製の前軸等、ネジ部の加工方法が異なる二種類の前軸を、何れも同一の後軸に接続することが可能である。
【実施例】
【００１５】
次に、上記特徴を有する好ましい実施例を、図面に基づいて詳細に説明する。
以下の説明中、軸筒軸方向とは、軸筒の中心線の延びる方向を意味する。また、「前」とは、軸筒軸方向の一方側であって筆記部の先端方向を意味する。また、「後」とは、軸筒軸方向の前記一方側に対する逆方向側を意味する。また、「軸筒径方向」とは、軸筒軸方向に対し直交する方向を意味する。また、「軸筒径外方向」とは、軸筒径方向に沿って軸筒中心から離れる方向を意味する。「軸筒径内方向」とは、軸筒径方向に沿って軸筒中心へ近づく方向を意味する。
【００１６】
この回転繰出し式筆記具は、図１に示すように、軸筒１０と、該軸筒１０内で前後方向へスライド可能な複数のスライド駒２０と、各スライド駒２０の前端側に接続されたボールペン用リフィール３１又はシャープペンシル用リフィール３２と、各リフィール３１（又は３２）を軸筒後方へ付勢する付勢部材４０と、回動するカム斜面５２ａによりリフィール３１（又は３２）を軸筒１０前方へ押し出す回転カム５０と、回転カム５０の後端側に接続されて外部に露出した回転操作部６０とを備え、回転操作部６０の回転操作によって回転カム５０が回転すると、回転カム５０に摺接されて押されたリフィール３１（又は３２）が、その前端の筆記部を軸筒１０の前端から突出させる。
また、この回転繰出し式筆記具は、シャープペンシル用リフィール３２の突出状態（前進位置）において、回転カム５０及び回転操作部６０がノックされると、シャープペンシル用リフィール３２の前端から内部の鉛芯を繰出す。
【００１７】
軸筒１０は、前軸１１と、該前軸１１を前端側に螺合接続した後軸１２とから長尺筒状に形成される。
【００１８】
前軸１１は、例えば、合成樹脂材料によって成形され、その前端側を先窄み状に形成するとともに、後端側の内周面に、雌ネジ部１１ａを有する。
雌ネジ部１１ａは、前軸１１の成形時に形成された断面台形状の雌ネジであり、後述する後軸１２前端側の第一のネジ部１２ａ（雄ネジ）に対応するように、前軸１１後端から前方へ入り込んだ位置に設けられる（図１０参照）。そして、前軸１１における雌ネジ部１１ａよりも後側の内周面は、雌ネジ部１１ａの谷径よりも大きい径の円筒状に形成される。
【００１９】
後軸１２は、例えば、合成樹脂材料によって成形され、その前端の外周面に、前軸１１を螺合可能な第一のネジ部１２ａと、該第一のネジ部１２ａよりも後側に位置する第二のネジ部１２ｂとを有する（図１０参照）。
第一のネジ部１２ａは、後軸１２の成形時に形成された断面台形状の雄ネジであり、前軸１１の雌ネジ部１１ａと螺合するように、後軸１２の前端寄りに配置されている。
【００２０】
第二のネジ部１２ｂは、後軸１２の外周面において、第一のネジ部１２ａよりも後側に設けられた雄ネジである。
この第二のネジ部１２ｂは、第一のネジ部１２ａとは異なる形状の雄ネジであり、例えば、一般的な断面山形状の雄ネジ等とされ、そのネジ径は、第一のネジ部１２ａのネジ径よりも大きく設定される。
この第二のネジ部１２ｂ（雄ネジ）は、前軸１１に換えて、ネジ部の加工方法が異なる前軸（例えば、図示しない金属製の軸筒等）が装着される場合に、該前軸の雌ネジ部に螺合するように配置される。なお、前記異なる前軸は、前記雌ネジ部を、前軸１１の雌ネジ部１１ａよりも後側に配置している。
【００２１】
なお、雌ネジ部１１ａと、第一のネジ部１２ａ及び第二のネジ部１２ｂとは、その雄雌関係を逆にすることが可能である。
【００２２】
また、後軸１２内周面には、付勢部材４０の前端を受ける受部１２ｃや、スライド駒２０を前後方向へ案内するガイド溝１２ｄ等が設けられる（図１及び図１０参照）。
【００２３】
また、後軸１２の後端寄りの内周面には、周方向に所定間隔を置いて複数の規制突起１２ｆが設けられる。これら規制突起１２ｆは、後述する回転カム５０と係合して、該回転カム５０の後方への移動を規制したり、該回転カム５０の前進位置での回転を規制したりする。
【００２４】
また、スライド駒２０は、図７〜図９に示すように、回転カム５０のカム斜面５２ａに摺接可能な被摺動部２１と、回転カム５０内に挿入された挿入片２２と、前端側（図７によれば下側）で付勢部材４０を受けるスプリン受部２３とを具備し、合成樹脂材料から一体成形される。
【００２５】
被摺動部２１は、回転カム５０のカム部５２に対しその前方側に位置し、図７に示すように、回転カム５０のカム斜面５２ａに摺接する山形部２１ａと、該山型部から前方（図７によれば下方）へ延設された延設部２１ｂと、後軸１２内周面のガイド溝１２ｄ（図１０参照）に嵌り合って前後方向へ案内される被ガイド凸部２１ｃとを有する。
【００２６】
山形部２１ａは、後方へ頂部を向けた山形状であって、その後端の頂部を、回転カム５０のカム部５２に係脱する係脱突部２１ａ１としている。山形部２１ａの周方向両側には、回転カム５０のカム斜面５２ａに対面する傾斜摺接面２１ａ２，２１ａ２が設けられる（図７参照）。
【００２７】
延設部２１ｂは、山形部２１ａから後方へ延設されるとともに、軸筒１０の内周面にならう曲面状に形成される。
【００２８】
被ガイド凸部２１ｃは、山形部２１ａ及び延設部２１ｂの表面から軸筒径外方向へ突出するとともに前後方向へ連続する突条である。この被ガイド凸部２１ｃにおける前後方向の途中には、軸筒径内方向へ凹む凹部２１ｃ１が設けられる（図７〜図９参照）。この凹部２１ｃ１には、スライド駒２０を成形する際のゲート口が設けられる。すなわち、凹部２１ｃ１は、前記ゲート口のバリ等が被ガイド凸部２１ｃよりも軸筒径外方向へ突出するのを防ぐ。なお、凹部２１ｃ１の位置は、スライド駒２０の動作を妨げないようにすれば、図示例以外の位置にすることも可能である。
【００２９】
挿入片２２は、被摺動部２１から後方へ延設され、回転カム５０の内周面に重ね合わせられるようにして、回転カム５０内に挿入されている。この挿入片２２は、スライド駒２０が後退した状態では、回転カム５０の筒部５１内周面と回転カム５０内の軸部５３（図６参照）との間に位置する。
より詳細に説明すれば、この挿入片２２は、筒部５１の内周面に沿う横断面凹曲状に形成され、スライド駒２０が最も後退した状態で、回転カム５０内の後方底部に近接する（図３の右側参照）。したがって、この状態では、回転カム５０内に予め注入されたグリスＧが、回転カム５０の内周面と挿入片２２との間、及び挿入片２２と軸部５３との間に浸透する。
【００３０】
スプリン受部２３は、付勢部材４０（コイルスプリング）の後端側を二つの片状部分の間に保持して受けるように形成される（図７参照）。
【００３１】
また、スライド駒２０の内部には、前方を開口した円筒状のリフィール嵌合孔２４が設けられる。このリフィール嵌合孔２４の内周面には、径内方向へ突出する突起２４ａが、周方向へ間隔を置いて複数設けられる。リフィール嵌合孔２４内に挿入されるボールペン用リフィール３１又はシャープペンシル用リフィール３２は、前記突起２４ａに押圧されることで容易に抜け落ちないように保持される。
【００３２】
また、ボールペン用リフィール３１は、インクタンク３１ａ内のインクを筆記部３１ｂ前端の転写ボールから吐出するように構成され、その後端側をスライド駒２０に挿入している。
【００３３】
また、シャープペンシル用リフィール３２は、後部側が進退運動することで、芯タンク３２ａ内の鉛芯を、前端の筆記部３２ｂから繰り出すように構成され、その後端側をスライド駒２０に挿入している。なお、図１中、符号３２ｃは、芯タンク３２ａを後方へ付勢するコイルスプリングである。
【００３４】
付勢部材４０は、ボールペン用リフィール３１とシャープペンシル用リフィール３２に対し、それぞれ環状に装着された圧縮コイルスプリングである。各付勢部材４０は、その前端部を軸筒１０内の受部１２ｃに当接させるとともに、後端をスライド駒２０に当接させて、スライド駒２０を後方へ付勢している。
なお、この付勢部材４０は、スライド駒２０を後方へ付勢する構成であればよく、他例としては、スライド駒２０を後方へ引っ張る引張バネや、コイルスプリング以外の弾性体を用いることも可能である。
【００３５】
また、回転カム５０は、図４〜図６に示すように、軸筒１０と略同芯状の筒部５１と、該筒部５１の周壁の一部を山形状に前方へ突出させてその周方向の両縁をカム斜面５２ａ，５２ａとしたカム部５２と、筒部５１の中心側に位置する軸部５３（図６参照）とを具備し、合成樹脂材料から一体成形され、軸筒１０（詳細には後軸１２）内の後端側に、所定量進退可能且つ回転可能に挿入されている。
【００３６】
筒部５１は、その前半部側を軸筒１０の後端に略同芯状に挿入するとともに、その後半部側を軸筒１０の後端から後方へ突出している。
この筒部５１の前端側外周には、環状突部５１ａが設けられる。この環状突部５１ａは、軸筒１０内の規制突起１２ｆ（図３及び図１０参照）の前端に当接して、回転カム５０の後方への移動を規制する。
【００３７】
筒部５１の前半部側の外周面には、軸方向へわたる被ガイド突条５１ｂが設けられる。この被ガイド突条５１ｂは、回転カム５０が後退位置にある際には、軸筒１０内周面の複数の規制突起１２ｆよりも後側に位置する。したがって、この状態では、回転カム５０が回転可能である。
また、同被ガイド突条５１ｂは、回転カム５０及び回転操作部６０が、シャープペンシル用リフィール３２を突出させた前進位置（図１参照）にてノック操作された場合に、軸筒１０内周面の隣り合う規制突起１２ｆ（図１０参照）間に入り込み、回転カム５０を回転不能且つ進退可能に保持する。
【００３８】
筒部５１の内部には、底部５１ｃが設けられ、該底部５１ｃの中心から前方へ突出するように軸部５３が設けられる。すなわち、筒部５１内は、前方を開口した有底筒状であって、その中央側に軸部５３を有する。軸部５３の長さは、筒部５１よりも若干短く設定される（図６参照）。
【００３９】
そして、筒部５１内には、当該回転繰出し式筆記具の製造時においてスライド駒２０の挿入片２２が挿入される前に、高粘稠性のグリスＧが充填される。
このグリスＧは、筒部５１内にスライド駒２０の挿入片２２が挿入された際に、筒部５１の内周面と挿入片２２との間、及び挿入片２２と軸部５３との間に浸透するように、その量が適宜に設定され、筒部５１内の底部５１ｃ寄りに略全周にわたって連続するように充填される。
また、このグリスＧは、必要に応じて、回転カム５０外周面と軸筒１０内周面との間や、スライド駒２０外周面と軸筒１０内周面の間、隣り合うスライド駒２０，２０の間等の摺動面にも、塗布するようにしてもよい。
【００４０】
また、カム部５２は、筒部５１の周壁の一部を山形状に前方へ突出させてその周方向の両縁をカム斜面５２ａ，５２ａとするとともに、これらカム斜面５２ａ，５２ａ間の頂部に、スライド駒２０の係脱突部２１ａ１を係脱させるための凹部５２ｂを形成している（図４参照）。
すなわち、回転カム５０を回転させると、スライド駒２０は、カム部５２の一方のカム斜面５２ａに押し上げられるように摺接して前方へスライドし、係脱突部２１ａ１を、回転カム５０の凹部５２ｂに嵌め合せる。さらに、回転カム５０を回転させると、スライド駒２０は、係脱突部２１ａ１を凹部５２ｂから抜け出し、回転カム５０の他方のカム斜面５２ａに摺接して後方へスライドする。
【００４１】
筒部５１の後端側には、回転カム５０と一体に回転するように回転操作部６０が接続される（図３参照）。
図３中、符号６１は、筒部５１の後半部側の外周面に固定された筒状部材であり、符号６２は、筒状部材６１から前方へ延設されたクリップ部である。また、符号６３は、円柱状の消しゴムであり、符号６４は、消しゴム６３を保持するとともに回転カム５０の後端側内周面に螺合接続された接続部材である。そして、符号６５は、消しゴム６３を覆うようにして、接続部材６４の後端側に着脱可能に嵌合されたキャップ部材である。
【００４２】
よって、上記構成の回転繰出し式筆記具によれば、回転カム５０内にグリスＧを予め充填した後、同回転カム５０内にスライド駒２０の挿入片２２を挿入するようにしているため、回転カム５０の内周面と挿入片２２との間、及び挿入片２２と軸部５３との間に、十分にグリスＧをゆきわたらせることができる。
したがって、回転カム５０を回転操作した際には、グリスＧが、回転カム５０の回転に適度な抵抗を付与する。また、グリスＧは、カム部５２とスライド駒２０との摺接や係脱等を滑らかにし、回転中の摺動抵抗を均一化するとともに係脱音を低減する。ひいては、回転操作部６０を回転操作する際の操作感を、適宜な抵抗を有する高級な感触にすることができる。
【００４３】
なお、図示例によれば、２本のリフィール３１，３２を具備するようにしているが、これらリフィールの数及び種類は、単数、３本以上、３種類以上など、適宜に設定することが可能である。
【符号の説明】
【００４４】
１０：軸筒                        １１：前軸
１２：後軸                        ２０：スライド駒
２１：被摺動部                    ２２：挿入片
２３：スプリン受部                ２４：リフィール嵌合孔
３１：ボールペン用リフィール      ３２：シャープペンシル用リフィール
４０：付勢部材                    ５０：回転カム
５１：筒部                        ５２：カム部
５２ａ：カム斜面                  ５３：軸部
Ｇ：グリス
【図１】
2015077722.tif 000003
【図２】
2015077722.tif 000004
【図３】
2015077722.tif 000005
【図４】
2015077722.tif 000006
【図５】
2015077722.tif 000007
【図６】
2015077722.tif 000008
【図７】
2015077722.tif 000009
【図８】
2015077722.tif 000010
【図９】
2015077722.tif 000011
【図１０】
2015077722.tif 000012